(57)【要約】【課題】スイッチの略いずれの部分を押してもスイッチ操作することができるリモコンを提供する。【解決手段】リモコン１の便座開閉スイッチ１２は、前面側の下部がリモコン本体２の上面部に傾動可能に支持された傾動体２０と、該傾動体２０が傾動するときに該傾動体２０によって押されてスイッチング動作するスイッチ本体３０と、該リモコン本体２の上面部に、前後方向及び上下方向に変位自在に取り付けられたキャップ４０とを備えている。傾動体２０はキャップ４０の内側の空所４１内に配置されている。キャップ４０が前方ないし上方から押されると、このキャップ４０によって傾動体２０が押されて傾動し、スイッチ本体３０がスイッチング動作する。【選択図】図６
2006114286.tif 000002
【特許請求の範囲】
【請求項１】
壁面に取り付けられるリモコン本体と、
該リモコン本体の上面部に配置されており、前方ないし上方のいずれの方向から押されても傾動するように該リモコン本体に支持された傾動体と、
該傾動体が傾動するときに該傾動体によって押されるスイッチ本体と
を備えたリモコンにおいて、
該傾動体は、その前面側の下部において該リモコン本体に傾動可能に支持されていることを特徴とするリモコン。
【請求項２】
請求項１において、該リモコン本体の上部に、前後方向及び上下方向に変位可能にキャップが取り付けられており、
該キャップが前方ないし上方から押されて後方ないし下方へ変位したときに、該傾動体が該キャップによって押されて傾動し、スイッチ本体を押すことを特徴とするリモコン。
【請求項３】
請求項２において、該キャップは、底面から上方に向って凹陥する空所を有しており、
前記傾動体は該空所に入り込んでいることを特徴とするリモコン。
【請求項４】
請求項２又は３において、該キャップは、前面から上面を経て後面に到る外面が上方に向って凸に湾曲する曲面となっていることを特徴とするリモコン。
【発明の詳細な説明】
【技術分野】
【０００１】
本発明は、トイレルーム等の壁面に設置されるリモコンに係り、特に前方ないし上方のいずれの方向からでも押すことができるスイッチを有したリモコンに関する。
【背景技術】
【０００２】
トイレ使用後の便器洗浄水の放水（フラッシュ）等をリモコンのスイッチ操作で行うようにした便器設備が広く普及している。このリモコンは、通常、使用者が便器に着座した姿勢のままでも操作し易いように、比較的低い高さに配置される。このため、特に身長の大きい人の場合、起立した姿勢ではリモコンのスイッチを操作しにくいことがある。
【０００３】
特開２００２−７０１１５号公報には、リモコン本体の上面と前面とにまたがってスイッチ用ボタンを設けたリモコンが記載されている。
【特許文献１】特開２００２−７０１１５号公報
【発明の開示】
【発明が解決しようとする課題】
【０００４】
上記特開２００２−７０１１５号公報にあっては、同号公報の図５の通り、このボタンは上部の後縁部分が回動軸１９によって回動自在に支持されているため、ボタン上面の後部を押したときには、ボタンが下降せず、スイッチ操作を行うことができない。即ち、同号公報では、ボタンを上から押すときにはボタンの前側部分を押さない限り、スイッチ操作を行うことができない。
【０００５】
本発明は、かかる従来技術の問題点を解消し、スイッチの略いずれの部分を押してもスイッチ操作することができるリモコンを提供することを目的とする。
【課題を解決するための手段】
【０００６】
本発明（請求項１）のリモコンは、壁面に取り付けられるリモコン本体と、該リモコン本体の上面部に配置されており、前方ないし上方のいずれの方向から押されても傾動するように該リモコン本体に支持された傾動体と、該傾動体が傾動するときに該傾動体によって押されるスイッチ本体とを備えたリモコンにおいて、該傾動体は、その前面側の下部において該リモコン本体に傾動可能に支持されていることを特徴とするものである。
【０００７】
請求項２のリモコンは、請求項１において、該リモコン本体の上部に、前後方向及び上下方向に変位可能にキャップが取り付けられており、該キャップが前方ないし上方から押されて後方ないし下方へ変位したときに、該傾動体が該キャップによって押されて傾動し、スイッチ本体を押すことを特徴とするものである。
【０００８】
請求項３のリモコンは、請求項２において、該キャップは、底面から上方に向って凹陥する空所を有しており、前記傾動体は該空所に入り込んでいることを特徴とするものである。
【０００９】
請求項４のリモコンは、請求項２又は３において、該キャップは、前面から上面を経て後面に到る外面が上方に向って凸に湾曲する曲面となっていることを特徴とするものである。
【発明の効果】
【００１０】
本発明のリモコンにあっては、前方ないし上方から傾動体を押し、該傾動体を傾動させることにより、スイッチ操作する。この傾動体は、その前面側の下部においてリモコン本体に傾動可能に支持されているので、傾動体の上面側のいずれの部分を押しても（例えば該上面の後部を押しても）、傾動体を傾動させてスイッチ操作することができる。
【００１１】
請求項２の通り、リモコン本体の上部に、前後方向及び上下方向に変位可能にキャップを取り付け、該キャップが前方ないし上方から押されたときに、傾動体が該キャップによって押されて傾動するよう構成することにより、該キャップをリモコン本体の外形に合わせた形状としてリモコンの意匠性を高めることができる。
【００１２】
請求項３の通り、このキャップに、底面から上方に向って凹陥する空所を設け、傾動体をこの空所内に配置することにより、該キャップと傾動体との組み合わせ体の容積が比較的小さくて済む。
【００１３】
請求項４の通り、このキャップの前面から上面を経て後面に到る外面を上方に向って凸に湾曲する曲面とすることにより、前方ないし上方のいずれの方向からも該キャップに指先を当て易い。また、この形状は、指で摘んで引張り上げるのに不適な形状であり、キャップが悪戯を受けにくい。さらに、キャップと、リモコンを取り付けた壁面との間の隙間が小さくても、キャップを前方から押したときに該キャップが壁に当ることなく後方へ傾動する。
【発明を実施するための最良の形態】
【００１４】
以下、図面を参照して実施の形態について説明する。
【００１５】
第１図は実施の形態に係るリモコンの斜視図、第２図はこのリモコンのスイッチの分解斜視図、第３図はキャップと傾動体とを取り外した状態におけるリモコン本体上部の断面斜視図、第４図（ａ）はキャップと傾動体とを第２図と反対側から見た分解斜視図、第４図（ｂ）は傾動体の底面の斜視図、第５図（ａ），（ｂ），（ｃ）はそれぞれ第４図（ａ）のＶａ−Ｖａ線、Ｖｂ−Ｖｂ線、Ｖｃ−Ｖｃ線に沿う断面図である。第６図（ａ）は第１図のＶＩ−ＶＩ線に沿う断面図であり、第６図（ｂ），（ｃ）は、それぞれ、キャップを前方から押したとき及び上方から押したときの第６図（ａ）と同一部分の断面図である。また、第７図（ａ）は第１図及び第３図のＶＩＩ−ＶＩＩ線に沿う断面図であり、第７図（ｂ），（ｃ）は、それぞれ、キャップを前方から押したとき及び上方から押したときの第７図（ａ）と同一部分の断面図である。
【００１６】
この実施の形態では、リモコン１は、トイレルームの洋風便器に設けられた温水洗浄装置、フラッシュ装置、及び便座電動開閉装置をリモートコントロールするためのものである。
【００１７】
この温水洗浄装置は、便座に座った人のおしり洗浄用シャワーノズル、ビデノズル、該ノズルに温水を供給する温水タンク、おしりに温風を吹き付けて乾燥させる温風ファン等を備えている。フラッシュ装置は、洋風便器に対し便器洗浄水を供給するための弁装置である。便座電動開閉装置は、便座をモータによって起立・倒伏させる装置である。
【００１８】
リモコン１は、トイレルームの壁面に取り付けられるリモコン本体２と、該リモコン本体２の前面に設けられた前面スイッチ３〜１０及びダイヤル１１と、該リモコン本体の上部に設けられたスイッチ１２〜１４と、各スイッチ及びダイヤルからの指令信号を上記の各装置へ発信する発信部１５等を備えている。リモコン本体２の上面部は左右方向に４個の領域に略等分され、左端側の領域から順に便座開閉スイッチ１２、大フラッシュスイッチ１３、小フラッシュスイッチ１４及び発信部１５がそれぞれ配置されている。なお、スイッチ１２〜１４の配置順はこれに限定されない。
【００１９】
該前面スイッチ３〜１０は、おしり洗浄スイッチ３、ビデスイッチ４、乾燥スイッチ５、洗浄位置調節用の前進スイッチ６及び後退スイッチ７、ワイド洗浄入／切スイッチ８、マッサージ洗浄入／切スイッチ９、並びに洗浄及び乾燥動作を停止させるための切スイッチ１０よりなる。ダイヤル１１は、各ノズルからの噴出水勢を調節するためのものである。
【００２０】
おしり洗浄スイッチ３を押すと、シャワーノズルから温水が噴出し、便座着座者のおしりが洗浄される。ビデスイッチ４を押すと、ビデノズルから温水が噴出する。
【００２１】
おしり又はビデ洗浄中に前進スイッチ６を押すと、ノズルが前方へ動き、洗浄位置が前方へ移動する。後退スイッチ７を押すと、ノズルが後方へ動き、洗浄位置が後方へ移動する。ワイド洗浄入／切スイッチ８を１回押してワイド洗浄機能を設定すると、おしり又はビデ洗浄中にノズルが自動的に前後に繰り返し動いて広い範囲が洗浄される。ワイド洗浄入／切スイッチ８をもう１回押すと、このワイド洗浄機能が解除される。
【００２２】
マッサージ洗浄入／切スイッチ９を押してマッサージ機能を設定すると、おしり又はビデ洗浄中に噴出水勢が強弱変動してマッサージが行なわれる。マッサージ洗浄入／切スイッチ９をもう１回押すと、このマッサージ機能が解除される。通常のおしり又はビデ洗浄時の噴出水勢は、ダイヤル１１を左ないし右に回すことによって調節することができる。
【００２３】
乾燥スイッチ５は、これを１回押すと比較的高温の温風が吹き出し、もう１回押すと中温の温風となり、さらにもう１回押すと比較的低温の温風となり、以下同様に「高」、「中」、「低」と切り替わる。止スイッチ１０を押すと、上述の洗浄や乾燥（温風吹出）動作が停止する。なお、この実施の形態では、洗浄は開始２分後に自動的に停止し、乾燥は開始４分後に自動的に停止するセルフストップ機構が採用されている。
【００２４】
この実施の形態では、リモコン本体２の前面の下部に前蓋１６が設けられている。この前蓋１６は、ヒンジ（図示略）により前方に開閉可能となっている。この前蓋１６の背後側には、温水温度調節用スイッチ、便座温度調節用スイッチなどの各種の副操作用スイッチ（図示略）が設けられている。
【００２５】
便座が便器上に倒伏した状態において便座開閉スイッチ１２を押すと、モータが作動して便座を起立させる。便座が起立した状態において便座開閉スイッチ１２を押すと、モータが逆作動して便座を便器上に倒伏させる。大フラッシュスイッチ１３を押すと、便器の便鉢に多量の洗浄水が供給され、小フラッシュスイッチ１４を押すと、便鉢に少量の洗浄水が供給される。
【００２６】
これらのスイッチ１２〜１４の構造は同一であるので、以下、便座開閉スイッチ１２を例にとってスイッチの構成を説明する。
【００２７】
便座開閉スイッチ１２は、第６図（ａ）〜（ｃ）の通り、前面側の下部がリモコン本体２の上面部に傾動可能に支持されており、前方ないし後方のいずれの方向から押されても傾動する傾動体２０と、該傾動体２０が傾動するときに該傾動体２０によって押されてスイッチング動作するスイッチ本体３０と、該リモコン本体２の上面部に、前後方向及び上下方向に変位自在に取り付けられたキャップ４０とを備えている。
【００２８】
第３図に示すように、リモコン本体２の上面部には、各スイッチ１２〜１４の配置領域ごとに開口５０が設けられている。各開口５０内に、各スイッチ１２〜１４のスイッチ本体３０がそれぞれ配置されている。各スイッチ本体３０はリモコン本体２内の回路基板１７（第６，７図）にそれぞれ搭載されている。この実施の形態では、スイッチ本体３０は、押されると後退してスイッチング動作する操作体３１を有しており、この操作体３１が上向きに該開口５０内に臨んでいる。
【００２９】
この開口５０の前縁側の左右両端付近に、それぞれ、後述の傾動体２０の回動軸２１を保持する軸受部５１，５１が設けられている。また、この開口５０の左右両側縁部に、それぞれ、後述のキャップ４０の脚状片４４，４４が係止される脚状片係止部５２，５２が設けられている。
【００３０】
傾動体２０は、第４図（ａ），（ｂ）に示すように、リモコン本体２の左右幅方向に延在する回動軸２１と、該回動軸２１から上方へ延出する鉛直方向片２２と、該回動軸２１から該鉛直方向片２２と略直角に後方へ延出する水平方向片２３と、該鉛直方向片２２と水平方向片２３の左端部同士及び右端部同士をそれぞれつなぐリブ片２４，２４と、該水平方向片２３の下面から下方へ突出する凸部２５とを有している。
【００３１】
該軸２１は、開口５０の前縁に沿って配設され、両端がそれぞれ軸受部５１，５１に回動可能に保持されている。水平方向片２３は、該開口５０の内側へ延出し、スイッチ本体３０の上側に覆い被さっている。このスイッチ本体３０の操作体３１の先端面（上端面）に、該水平方向片２３の下側の凸部２５が対峙している。なお、この凸部２５は、比較的柔らかい合成樹脂やゴム等より構成されている。
【００３２】
キャップ４０は、その前面から上面を経て後面に到る外面が上方に向って凸に湾曲した略半円筒形状のものである。該キャップ４０は、底面から上方へ向って凹陥する空所４１を有している。この空所４１内に、傾動体２０や開口５０の周囲の軸受部５１，５１及び係止部５２，５２が入り込んでいる。第６図（ａ）に示すように、空所４１の内壁面からは、この傾動体２０の鉛直方向片２２の前面に対峙する後方押圧片４２と、水平方向片２３の上面に対峙する下方押圧片４３とが突設されている。
【００３３】
この実施の形態では、第５図（ｂ）の通り、これらの後方押圧片４２と下方押圧片４３とは、空所４１を前後方向に横切る仕切り壁の如く一連に形成されている。両者の間には、該仕切り壁を下辺側から切り欠いた如き形状の凹部（符号略）が形成されており、この凹部に該鉛直方向片２２が入り込んでいる。
【００３４】
空所４１の天井部の左端側及び右端側からは、それぞれ、下方に向って脚状片４４，４４が垂設されている。これらの脚状片４４，４４は、キャップ４０の底面よりも下方にまで延在している。各脚状片４４は、上下方向の途中部から下端側が前側脚４４ａと後側脚４４ｂとに二股に分かれている。該後側脚４４ｂは、前側脚４４ａよりも下方にまで延在している。前側脚４４ａと後側脚４４ｂとは互いに接離方向に弾性変形可能となっている。前側脚４４ａ及び後側脚４４ｂの下端には、それぞれ、両者の離反方向に突出する係止爪４４ｃ，４４ｄが設けられている。
【００３５】
これらの脚状片４４，４４がそれぞれ前記係止部５２，５２に対し上下方向及び前後方向に変位可能に係止されている。
【００３６】
各係止部５２は、第３図及び第７図に示すように、開口５０の側辺から上方へ向って立設された側壁５２ａと、該側壁５２ａに対し開口５０の内側に間隔をおいて対峙する対峙壁５２ｂと、該側壁５２ａ及び対峙壁５２ｂの前側辺同士をつなぐ前側壁５２ｃと、該側壁５２ａ、対峙壁５２ｂ及び前側壁５２ｃによって囲まれた脚状片挿通路５２ｄと、該挿通路５２ｄの下方（リモコン本体２の内部）に設けられた前側脚係止片５２ｅ及び後側脚係止片５２ｆ（第７図）とを有している。
【００３７】
キャップ４０を取り付けるに当っては、この係止部５２の脚状片挿通路５２ｄ内に各脚状片４４を上方から押し込む。この際、該脚状片４４の前側脚４４ａと後側脚４４ｂとが互いに弾性変形しつつ前側脚係止片５２ｅと後側脚係止片５２ｆとの間を通過し、各々の下端の係止爪４４ｃ，４４ｄがこれらの係止片５２ｅ，５２ｆの下側に係合する。
【００３８】
第７図（ａ）に示すように、係止爪４４ｃ，４４ｄがそれぞれ係止片５２ｅ，５２ｆの下側に当接した状態にあっては、キャップ４０の底面とリモコン本体２の上面との間には隙間が存在する。平常時（キャップ４０が前方や上方から押されていないとき）には、操作体３１の上方への復帰力により、キャップ４０は水平方向片２３及び下方押圧片４３を介して上方へ押し上げられてこの第７図（ａ）の状態となっている。
【００３９】
この第７図（ａ）の状態においてキャップ４０を前方から押すと、該キャップ４０が第７図（ｂ）のように後方へ傾動し、後方押圧片４２が鉛直方向片２２を後方へ押して傾動体２０を傾動させる。また、この第７図（ａ）の状態においてキャップ４０を上方から押すと、該キャップ４０が第７図（ｃ）のように下降し、下方押圧片４３が水平方向片２３を下方へ押して傾動体２０を傾動させる。この傾動体２０の傾動により、凸部２５を介して操作体３１が押し下げられる。
【００４０】
なお、この実施の形態では、開口５０の周縁部は周囲よりも一段高い凸段部５３となっており、キャップ４０が所定量後方ないし下方へ変位すると、第６図（ｂ），（ｃ）に示すように、この凸段部５３が空所４１の内壁面や下方押圧片４３の下辺等に当接して該キャップ４０のそれ以上の変位を阻止するよう構成されている。
【００４１】
第３図の通り、各係止部５２の前側壁５２ｃの幅方向途中部から開口５０側は、リモコン本体２の後面側へ後退する凹段部５２ｇとなっている。この凹段部５２ｇの下端側に回動軸２１の端部が配置されている。開口５０の前縁側には、回動軸２１に対し前方から対峙して該回動軸２１の端部を凹段部５２ｇ内に保持する対峙片５１ａが立設されている。また、凹段部５２ｇの上下方向途中部には、該回動軸２１の端部が凹段部５２ｇの下端側から上方へ抜け出すことを阻止する弾性突起５２ｈが突設されている。即ち、この実施の形態では、凹段部５２ｇ、対峙片５１ａ及び弾性突起５２ｈによって軸受部５１が構成されている。
【００４２】
回動軸２１を軸受部５１に係合させるに当っては、該回動軸２１の端部を上方から凹段部５２ｇに沿って落とし込み、弾性突起５２ｈと対峙片５１ａとの間から該凹段部５２ｇの下端側へ押し込む。
【００４３】
このように構成されたリモコン１においては、スイッチ１２〜１４を操作する場合には、当該スイッチのキャップ４０を前方ないし上方から押す。これにより、傾動体２０が傾動して操作体３１が押し下げられ、スイッチ本体３０がスイッチング動作する。
【００４４】
このリモコン１にあっては、傾動体２０は、その前面側の下部において、回動軸２１を介してリモコン本体２に傾動可能に支持されている。このため、キャップ４０の前面下端付近以外のいずれの部分を前方ないし上方のいずれの方向から押しても、傾動体２０を傾動させてスイッチ操作することができる。
【００４５】
この実施の形態では、傾動体２０にキャップ４０が装着されているので、このキャップ４０をリモコン本体２の外形に合わせた形状としてリモコンの意匠性を高めることができる。
【００４６】
また、この実施の形態では、キャップ４０の内側に傾動体２０が配置されているので、キャップ４０を操作し易いように大きくしても、該キャップ４０と傾動体２０との組み合わせ体の容積が比較的小さくて済む。
【００４７】
この実施の形態では、キャップ４０の前面から上面を経て後面に到る外面が上に向って凸に湾曲する曲面となっているので、前方ないし上方のいずれの方向からも該キャップ４０に指先を当て易い。また、この形状は、指で摘んで引張り上げるのに不適な形状であり、キャップ４０が悪戯を受けにくい。さらに、キャップ４０と、リモコンを取り付けた壁面との間の隙間が小さくても、キャップ４０を前方から押したときに該キャップ４０が壁に当ることなく後方へ傾動する。
【００４８】
この実施の形態では、キャップ４０の後方及び下方への変位量が規制されているので、キャップ４０が強く押されても、スイッチ本体３０に過度の荷重が加えられることが防止される。
【００４９】
上記実施の形態は本発明の一例を示すものであり、本発明は上記実施の形態に限定されるものではない。例えば、キャップは図示以外の形状であってもよい。
【００５０】
本発明では、スイッチ１２，１３，１４の一部又はすべてにおいて、その上面に凸部や凹部を設けてもよい。この場合、各スイッチの上面の凸部や凹部の大きさや配置、形状などを異ならせることにより、指先の触感で各スイッチを識別することが可能となる。１個のスイッチに凸部を設けず、他のスイッチに凸部を設けることにより、該１個のスイッチと他のスイッチとの触感を異ならせるようにしてもよい。
【００５１】
この凸部としては、点状の突起や、左右方向に延在する突条が例示される。凹部としては、凹穴や、左右方向に延在する溝が例示される。
【図面の簡単な説明】
【００５２】
【図１】実施の形態に係るリモコンの斜視図である。
【図２】スイッチの分解斜視図である。
【図３】キャップと傾動体とを取り外した状態におけるリモコン本体上部の断面斜視図である。
【図４】キャップと傾動体との分解斜視図及び傾動体の底面の斜視図である。
【図５】図４（ａ）Ｖａ−Ｖａ線、Ｖｂ−Ｖｂ線、Ｖｃ−Ｖｃ線に沿う断面図である。
【図６】スイッチの作動態様を示す断面図である。
【図７】スイッチの作動態様を示す、図６と別部分の断面図である。
【符号の説明】
【００５３】
１  リモコン
２  リモコン本体
３〜１０  前面スイッチ
１１  ダイヤル
１２〜１４  スイッチ
１５  発信部
２０  傾動体
２１  回動軸
２２  鉛直方向片
２３  水平方向片
３０  スイッチ本体
３１  操作体
４０  キャップ
４１  空所
４２  後方押圧片
４３  下方押圧片
４４  脚状片
５０  開口
５１  軸受部
５２  脚状片係止部
【図１】
2006114286.tif 000003
【図２】
2006114286.tif 000004
【図３】
2006114286.tif 000005
【図４】
2006114286.tif 000006
【図５】
2006114286.tif 000007
【図６】
2006114286.tif 000008
【図７】
2006114286.tif 000009